(57)【要約】【課題】駐車料金として、予め定めた駐車料金が支払われた場合、予め定めた時間内での同一車両の複数回の入出庫に対して更なる課金をしないようにした駐車場の料金管理装置を提供する。【解決手段】車両の登録番号を読み取る番号読取装置と、車両の入出庫日時を検出して入出庫日時を記録すると共に、車両の登録番号、支払われた駐車料金を記録し、保持するデータ保持手段と、入出庫日時に基づいて車両の駐車料金を計算し、駐車料金が精算された後、出庫ゲートを開くように構成した出庫ゲート管理装置とからなる駐車場の料金管理装置において、駐車料金として、予め定めた駐車料金が支払われた場合、出庫ゲート管理装置は、予め定めた時間内で、予め定めた駐車料金が支払われた時点以降の車両の入出庫に対して、課金をしないように構成したことを特徴とする。【選択図】図３
2010027027.tif 000002
【特許請求の範囲】
【請求項１】
車両の登録番号を読み取る番号読取装置と、
車両の入出庫日時を検出して入出庫日時を記録すると共に、前記車両の登録番号、支払われた駐車料金を記録し、保持するデータ保持手段と、
前記データ保持手段が保持するデータに基づいて前記車両の各出庫時の駐車料金を計算し、前記駐車料金が精算された後、出庫ゲートを開くように構成した出庫ゲート管理装置とからなる駐車場の料金管理装置において、
駐車料金として、予め定めた駐車料金が支払われた場合、前記出庫ゲート管理装置は、予め定めた時間内で、前記予め定めた駐車料金が支払われた時点以降の当該車両の入出庫に対して、課金をしないように構成したことを特徴とする駐車場の料金管理装置。
【請求項２】
車両の登録番号を読み取る番号読取装置と、
車両の入出庫日時を検出して入出庫日時を記録すると共に、前記車両の登録番号、出庫時に支払われた駐車料金を前記車両の登録番号と対応して積算記録し、保持するデータ保持手段と、
前記データ保持手段が保持するデータに基づいて前記車両の駐車料金を計算し、前記駐車料金が精算された後、出庫ゲートを開くように構成した出庫ゲート管理装置とからなる駐車場の料金管理装置において、
予め定めた時間内に同一の車両が、複数回入出庫した場合の合計の駐車料金を求め、この合計の駐車料金が、予め定めた駐車料金以上になり、且つ予め定めた駐車料金が精算された場合、前記出庫ゲート管理装置は、予め定めた時間内で、前記予め定めた駐車料金が支払われた時点以降の当該車両の入出庫に対して、課金をしないように構成したことを特徴とする駐車場の料金管理装置。
【請求項３】
車両の登録番号を読み取る番号読取装置と、
車両の入出庫日時を検出して入出庫日時を記録すると共に、前記車両の登録番号、支払われた駐車料金を記録し、保持するデータ保持手段と、
車両の出庫時に、前記車両の登録番号が確認され、前記データ保持手段が保持するデータに基づいて前記車両の駐車料金を計算し、前記駐車料金が精算された後、出庫ゲートを開くように構成した出庫ゲート管理装置とからなる駐車場の料金管理装置において、
駐車料金として、予め定めた駐車料金が支払われた場合、予め定めた時間内で前記予め定めた駐車料金が支払われた時点以降の当該車両の入出庫に対して、課金をしないように制御する機能をコンピュータに実現させるように構成したことを特徴とするプログラム。
【請求項４】
単位時間毎の駐車時間に対する料金で構成された料金体系と、予め定められた所定の駐車時間（最大駐車時間）内における上限駐車料金が設定されている上限駐車料金体系とが設定されている駐車場管理システムであって、駐車場に入庫する車両の登録番号を読み取る手段、日にち及び時間を演算する時間演算手段、当該読み取られた車両登録番号と対応して、少なくとも当該車両の当該駐車場への入庫日、入庫時刻、出庫日、出庫時刻並びに単日又は複数日のそれぞれにおいて当該車両が既に支払済みである駐車料金を記憶しておく記憶手段、当該記憶手段に於ける記憶された情報から当該車両の最新の入庫日に於ける最新の入庫時刻から最新の出庫時刻までの期間を演算して、当該期間における当該車両の駐車料金を演算する手段、当該最新の入庫日における当該演算された最新の駐車料金と当該車両が過去に支払済みの全ての駐車料金とを加算する手段、当該演算された最新の駐車料金若しくは当該演算された最新の駐車料金と当該加算された加算駐車料金の何れかが当該上限駐車料金より低いか否かを判断する手段、最新の駐車料金若しくは当該加算駐車料金が当該上限駐車料金より低い場合には、当該最新の駐車料金を新たな駐車料金として演算し、それを請求する手段と、当該最新の駐車料金若しくは当該加算駐車料金が当該上限駐車料金より高い場合には、当該上限駐車料金と最新の駐車料金若しくは当該加算駐車料金との差額料金を演算し、それを駐車料金として請求する手段と、当該車両が当該差額料金を支払った場合には、当該車両が同じ日内もしくは当該最大駐車時間内にその後再度入庫した場合には、当該再入庫時刻から同日末又は当該最大駐車時間までの間の入庫、出庫は無料と判断する無料化判断手段、当該無料化判断手段の情報にしたがって、当該車両番号に対応する記憶手段に、それ以降の車両の入庫、出庫は無料であるとのフラグを立てる手段、及び当該駐車料金の支払い情報に基づいて、ゲートを開放する手段とから構成されている事を特徴とする無人化入出庫自在駐車場管理システム。
【請求項５】
当該所定の車両の登録番号と対比して構成されている当該記憶手段に記憶された各情報は、当該車両が請求された駐車料金の全てを支払った後で、日替わり時点或は当該予め定められた所定の駐車時間経過後に消去される様に構成されている事を特徴とする請求項４に記載の無人化入出庫自在駐車場管理システム。
【請求項６】
当該車両が入庫してから、当該最大駐車時間経過内で日跨ぎが発生した場合には、当該車両が当該駐車場に入庫した日の最新の入庫時刻と当該入庫した日の最終時刻までの駐車時間から最新の駐車料金を演算する手段、当該入庫日における当該演算された最新の駐車料金と当該車両が入庫した日で、過去に支払済みの全ての駐車料金とを加算する手段、当該演算された最新の駐車料金若しくは当該演算された最新の駐車料金と当該加算された加算駐車料金の何れかが当該上限駐車料金より低いか否かを判断する手段、最新の駐車料金若しくは当該加算駐車料金が当該上限駐車料金より低い場合には、当該最新の駐車料金を新たな駐車料金として決定する手段、当該最新の駐車料金若しくは当該加算駐車料金が当該上限駐車料金より高い場合には、当該上限駐車料金と最新の駐車料金若しくは当該加算駐車料金との差額料金を演算し、それを第１の駐車料金として請求する手段、及び当該車両が当該駐車場に入庫した日の翌日の０時から当該車両が出庫するまでの駐車時間から第２の駐車料金を演算する手段、当該第２の駐車料金が当該上限駐車料金より低いか否かを判断する手段、当該第２の駐車料金が当該上限駐車料金より低い場合には、当該第２の駐車料金を当該翌日の新たな駐車料金として決定する手段、当該第２の駐車料金が当該上限駐車料金より高い場合には、当該上限駐車料金を当該翌日の新たな駐車料金として決定する手段、当該第１と当該第２の駐車料金を加算して、それを合計駐車料金として請求する手段と、当該車両が当該合計駐車料金を支払った場合には、当該車両番号に対応する記憶手段に於ける、前日分の情報を消去する手段、当該第２の駐車料金が当該上限駐車料金である場合には、当該翌日の当該最大駐車時間内でその後当該車両が再度入庫した場合には、当該再入庫時刻から当該所定の駐車時間までの間の入庫、出庫は無料と判断する無料化判断手段、当該無料化判断手段の情報にしたがって、当該車両番号に対応する記憶手段にそれ以降の車両の入庫、出庫は無料であるとのフラグを立てる手段及び当該駐車料金の支払い情報に基づいて、ゲートを開放する手段とから構成されている事を特徴とする請求項４に記載の無人化入出庫自在駐車場管理システム。
【請求項７】
当該車両が入庫した日と出庫した日の間に、少なくとも２回の日跨ぎが存在している場合、当該第１の駐車料金の演算工程と第２の演算工程の間に、少なくともｎ回（ｎ＝１以上の整数）当該上限駐車料金を乗算する演算を行い、それを第３の駐車料金とする手段と、当該第１と第２の駐車料金に当該第３の駐車料金を加算して、それを合計駐車料金として請求する手段とが更に設けられている事を特徴とする請求項６に記載の無人化入出庫自在駐車場管理システム。
【請求項８】
車両の登録番号を読み取る車両番号読取装置と、
車両の入出庫月日時を検出して入出庫月日時を記録すると共に、前記車両の登録番号、前記車両について支払われた駐車料金を記録し、保持するデータ保持手段と、
前記データ保持手段が保持するデータに基づいて、前記車両の出庫時毎の駐車料金を計算する駐車料金演算手段と、前記駐車料金が請求され、入金が確認された後、出庫ゲートを開くように構成した出庫ゲート開閉手段とを含む入出庫ゲート管理装置と、
からなる駐車場の料金管理装置において、
当該入出庫ゲート管理装置に、予め月毎の最大駐車料金を設定しておき、当該入出庫ゲート管理装置は、当該同一車両による同一月内で支払われた個々の駐車料金を積算し、当該積算された当該同一車両による同一月内での駐車料金の総額が、当該月毎の最大駐車料金を超過した場合には、当該同一車両による当該月毎の最大駐車料金を超過した料金が支払われた時点以降から当該同一月の末日までの当該同一車両の入出庫に対して、課金をしないように構成したことを特徴とする駐車場の料金管理装置。
【請求項９】
車両の登録番号を読み取る車両番号読取装置と、
車両の入出庫月日時を検出して入出庫月日時を記録すると共に、前記車両の登録番号、支払われた駐車料金を記録し、保持するデータ保持手段と、
前記データ保持手段が保持するデータに基づいて、前記車両の出庫時毎の駐車料金を計算する駐車料金演算手段と、前記駐車料金が請求され、入金が確認された後、出庫ゲートを開くように構成した出庫ゲート開閉手段、当該各手段の操作を制御管理する制御手段とを含む入出庫ゲート管理装置とからなる駐車場の料金管理装置において、当該入出庫ゲート管理装置に、予め月毎の最大駐車料金を設定しておき、当該入出庫ゲート管理装置は、当該同一車両による同一月内で支払われた個々の駐車料金を積算し、当該積算された当該同一車両による同一月内での駐車料金の総額が、当該月毎の最大駐車料金を超過した場合には、当該同一車両による当該月毎の最大駐車料金を超過した料金が支払われた時点以降から当該同一月の末日までの当該同一車両の入出庫に対して、課金をしないように制御する機能をコンピュータに実現させるように構成したことを特徴とするプログラム。
【請求項１０】
駐車場に入庫或は当該駐車場から出庫する車両の登録番号を読み取る車両番号読取手段、車両の入出庫月日時を検出して入出庫月日時を記録すると共に、前記車両の登録番号、支払われた駐車料金を記録し、保持するデータ保持手段、単位時間毎の駐車時間に対する料金で構成された料金体系と、月極めの上限駐車料金体系とが設定されている料金体系システムとを記憶する料金システム記憶手段、年情報、月情報、日情報及び時間を演算する時間演算手段、当該読み取られた車両登録番号と対応して、少なくとも当該車両の当該駐車場への入庫年月日、入庫時刻、出庫年月日、出庫時刻並びに当該車両が所定の月内で既に支払済みである駐車料金を記憶しておく駐車情報記憶手段、当該駐車情報記憶手段に於ける記憶された駐車情報から当該車両の最新の入庫月日に於ける最新の入庫時刻から最新の出庫月日に於ける最新の出庫時刻までの期間を演算して、当該期間における当該車両の駐車料金を演算する駐車料金演算手段、当該車両が当該同一月内で、過去に支払済みの全ての駐車料金を積算して精算月累積駐車料金を演算する精算月累積駐車料金演算手段、当該最新の出庫月日において当該演算された最新の駐車料金と当該精算月累積駐車料金とを加算して当月分累積駐車料金を演算する当月分累積駐車料金演算手段、当該同一月内に於ける、当該当月分累積駐車料金が当該月極め上限駐車料金より低いか否かを判断する第１判断手段、当該同一月内に於ける当該当月分累積駐車料金が当該月ぎめ上限駐車料金より低い場合には、当該最新の駐車料金を新たな駐車料金として演算する第１演算手段と、当該同一月内に於ける当該当月分累積駐車料金が、当該月極め上限駐車料金より高い場合には、当該月ぎめ上限駐車料金と当該精算月累積駐車料金との差額料金を当該最新の駐車料金を新たな駐車料金として演算する第２演算手段、当該第１もしくは第２演算手段が演算した駐車料金を今回の駐車料金として請求する駐車料金請求手段と、当該車両が当該請求された駐車料金を支払った場合には、出庫ゲートを開くように構成した出庫ゲート開閉手段を含み、更に、当該第２演算手段により決定された当該新たな駐車料金が精算された後は、当該同一車両が同じ月内にその後再度入庫した場合には、当該再入庫時刻から同月末日の最終時刻までの間の当該車両に対する入出庫に対する駐車料金は無料と判断し、それ以降の車両の出庫に対しては駐車料金の請求無しに当該ゲートを開放する様に構成された出庫ゲート開閉制御手段とから構成されている事を特徴とする無人化入出庫自在駐車場管理システム。
【請求項１１】
当該所定の車両の登録番号と対比して構成されている当該データ保持手段に記憶された各情報は、当該車両が請求された駐車料金の全てを支払った後で、月替わり時点或は当該予め定められた所定の駐車時間経過後に消去される様に構成されている事を特徴とする請求項１０に記載の無人化入出庫自在駐車場管理システム。
【請求項１２】
所定の月に於ける所定の日に当該車両が入庫してから、当該車両が出庫した月日との間で月跨ぎが発生した場合には、当該車両が駐車した複数駐車月の内、当該駐車場に入庫した最先月の月日の入庫時刻と当該車両が入庫した最先月に於ける最終日の最終時刻までの当該車両の駐車時間とから、最先の駐車月に於ける最終の駐車料金を演算する最先月駐車料金演算手段、当該最先入庫月日における当該演算された最終の駐車料金と、当該精算月累積駐車料金演算手段によって演算された、当該車両が入庫した当該最先月内で、過去に支払済みの全ての駐車料金を加算した精算済み最先月累積駐車料金とを加算して当該最先入庫月に於ける累積駐車料金を演算する最先入庫月累積駐車料金演算手段、当該演算された当該最先入庫月累積駐車料金額が当該月ぎめ上限駐車料金より低いか否かを判断する第２判断手段、当該最先入庫月累積駐車料金が当該月ぎめ上限駐車料金より低い場合には、当該最先入庫月累積駐車料金を当該最先入庫月の最終駐車料金（第１の駐車料金）として決定する第３の演算手段、当該最先入庫月累積駐車料金が当該月ぎめ上限駐車料金より高い場合には、当該月極め上限駐車料金と当該最先入庫月に於ける過去に支払済みの全ての駐車料金を加算した支払い済み最先月累積駐車料金との差額料金を演算し、それを当該最先入庫月の最終駐車料金（第１の駐車料金）として決定する第４の演算手段、及び当該車両が当該駐車場に駐車した複数駐車月の内、当該駐車場から出庫した最終月の月の最先の日の０時００分から当該車両が出庫する時刻までの同一月日に於ける駐車時間から第２の駐車料金を演算する第５の演算手段、当該第２の駐車料金が当該月ぎめ上限駐車料金より低いか否かを判断する第３判断手段、当該第２の駐車料金が当該月ぎめ上限駐車料金より低い場合には、当該第２の駐車料金を当該最終駐車月に於ける新たな駐車料金として決定する第６の演算手段、当該第２の駐車料金が当該上限駐車料金より高い場合には、当該上限駐車料金を当該最終駐車月に於ける新たな駐車料金として決定する第７の演算手段、当該最先の駐車月と当該最終の駐車月との間に１つ或は複数の中間駐車月が存在している場合には、当該各中間駐車月に対する駐車料金として、当該打切り金額を当該中間駐車月の駐車料金（第３の駐車料金）として決定する第８の演算手段、当該第１の駐車料金と当該第２の駐車料金と当該第３の駐車料金とを加算して、それを当該車両の月跨ぎ駐車に対する合計駐車料金として請求する駐車料金請求手段と、当該車両が当該合計駐車料金を支払った場合には、当該車両番号に対応するデータ保持手段に於ける、当該最終駐車月以外の月の駐車関情報を消去する駐車関情報消去手段、及び当該駐車料金の支払い情報に基づいて、ゲートを開放する出庫ゲート開閉手段とから構成されている事を特徴とする請求項１０に記載の無人化入出庫自在駐車場管理システム。
【発明の詳細な説明】
【技術分野】
【０００１】
本発明は、駐車場の料金管理装置と駐車場の料金管理システムに係わり、特に、駐車料金として、予め定めた駐車料金が支払われた場合、予め定めた時間内での同一車両の複数回の入出庫に対して更なる課金をせずに、出庫を許可するようにした駐車場の料金管理装置とそのシステムに関する。
【背景技術】
【０００２】
本願の出願人は、特許文献１に示したような駐車場の課金装置を出願した。
しかしながら、上記の出願後も、駐車スペースを更に有効に利用することが、駐車場の経営者及び利用者の双方から期待されている。
【先行技術文献】
【特許文献】
【０００３】
【特許文献１】特開２００２−１５７６１７号公報
【発明の概要】
【発明が解決しようとする課題】
【０００４】
本発明は、上記した点に鑑みてなされたものであり、その目的とするところは、駐車料金として、予め定めた駐車料金が支払われた場合、予め定めた時間内での同一車両の複数回の入出庫に対して更なる課金をせずに、出庫を許可するようにし、以て、駐車場の経営者及び利用者の双方の利益に寄与する新規な駐車場の料金管理装置或はそのシステムとそのコンピュータプログラムを提供するものである。
【０００５】
つまり、本発明於いては、車両の駐車時間の上限と駐車料金の上限（最大駐車料金）とを組み合わせた無人化された入出庫自由の駐車場管理装置及びそのシステムを提供するものである。
【課題を解決するための手段】
【０００６】
本発明は、上記した目的を達成するために、基本的には、以下に記載されたような技術構成を採用するものである。
即ち、本発明に係わる駐車場の料金管理装置の第１の態様は、
車両の登録番号を読み取る番号読取装置と、
車両の入出庫日時を検出して入出庫日時を記録すると共に、前記車両の登録番号、支払われた駐車料金を記録し、保持するデータ保持手段と、
【０００７】
前記データ保持手段が保持するデータに基づいて前記車両の駐車料金を計算し、前記駐車料金が精算された後、出庫ゲートを開くように構成した出庫ゲート管理装置とからなる駐車場の料金管理装置において、
駐車料金として、予め定めた駐車料金が支払われた場合、前記出庫ゲート管理装置は、予め定めた時間内で、前記予め定めた駐車料金が支払われた時点以降の当該車両の入出庫に対して、課金をしないように構成したことを特徴とするものであり、
【０００８】
又、本発明に於ける第２の態様は、
車両の登録番号を読み取る番号読取装置と、
車両の入出庫日時を検出して入出庫日時を記録すると共に、前記車両の登録番号、支払われた駐車料金を記録し、保持するデータ保持手段と、
前記データ保持手段が保持するデータに基づいて前記車両の駐車料金を計算し、前記駐車料金が精算された後、出庫ゲートを開くように構成した出庫ゲート管理装置とからなる駐車場の料金管理装置において、
【０００９】
予め定めた時間内に同一の車両が、複数回入出庫した場合の合計の駐車料金を求め、この合計の駐車料金が、予め定めた駐車料金以上になり、且つ予め定めた駐車料金が精算された場合、前記出庫ゲート管理装置は、予め定めた時間内で、前記予め定めた駐車料金が支払われた時点以降の当該車両の入出庫に対して、課金をしないように構成したことを特徴とするものである。
【００１０】
又、本発明に於ける第３態様としては、
車両の登録番号を読み取る車両番号読取装置と、
車両の入出庫月日時を検出して入出庫月日時を記録すると共に、前記車両の登録番号、前記車両について支払われた駐車料金を記録し、保持するデータ保持手段と、
【００１１】
前記データ保持手段が保持するデータに基づいて、前記車両の出庫時毎の駐車料金を計算する駐車料金演算手段と、前記駐車料金が請求され、入金が確認された後、出庫ゲートを開くように構成した出庫ゲート開閉手段とを含む入出庫ゲート管理装置と、
からなる駐車場の料金管理装置において、
【００１２】
当該入出庫ゲート管理装置に、予め月毎の最大駐車料金を設定しておき、当該入出庫ゲート管理装置は、当該同一車両による同一月内で支払われた個々の駐車料金を積算し、当該積算された当該同一車両による同一月内での駐車料金の総額が、当該月毎の最大駐車料金を超過した場合には、当該同一車両による当該月毎の最大駐車料金を超過した料金が支払われた時点以降から当該同一月の末日までの当該同一車両の入出庫に対して、課金をしないように構成したことを特徴とする駐車場の料金管理装置である。
【発明の効果】
【００１３】
本発明の駐車場の料金管理装置は、上記のように構成したので、以下のような効果を奏する。
（１）個々の利用者とそれぞれ個別に定期契約書を交わさずに定期利用と同等のサービスを提供できる様になり、日極目或は月極の駐車場を提供することも可能となるので、顧客の更なる取り込みが可能になった。
（２）駐車場内の空きスペースを少なくすることが可能になった。
（３）ユーザ側の利便性も向上した。
（４）車両のナンバープレートの取付位置を変更したり、フィルターを付加したりしている場合、ナンバーをカメラで読み取ることができない。このため、不正改造車の場合、このサービスを利用出来ないので、このサービスを受けたい利用者は、不正改造が出来なくなるので、結果として不正改造車を減少させるという効果も期待できる。
（５）無人化による大幅なコスト削減が実現する。
【図面の簡単な説明】
【００１４】
【図１】本発明の実施例のハードウエアの構成を示すブロック図である。
【図２】本発明の入庫管理プログラムのフローチャートである。
【図３】本発明の出庫管理プログラムのフローチャートである。
【図４】本発明の料金発生パターンを示す図である。
【図５】本発明の料金発生パターンを示す図である。
【図６】本発明の他の具体例における操作手順を説明するフローチャートである。
【図７】本発明の他の具体例における操作手順を説明するフローチャートである。
【図８】本発明の他の具体例における操作手順を説明するフローチャートである。
【図９】本発明の他の実施例におけるハードウエアの構成の一具体例を示すブロック図である。
【図１０】本発明の他の実施例の料金発生パターンを示す図である。
【図１１】本発明の他の実施例で使用されるファイルの構成例を示す図である。
【図１２】本発明の他の実施例に於ける、入庫管理プログラムのフローチャートである。
【図１３】本発明の他の実施例に於ける、出庫管理プログラムのフローチャートである。
【図１４】本発明の他の実施例に於ける駐車データの移動の例を示す図である。
【発明を実施するための形態】
【００１５】
以下に、本発明の駐車場の料金管理装置とそのコンピュータプログラムについて詳細に説明する。
【実施例１】
【００１６】
図１は、本発明の駐車場の料金管理装置１４のハードウエアの一具体例の構成を示す図である。
図において、１は、本発明の料金管理装置１４の主要部を構成する出庫ゲート管理装置１３を制御する制御装置である。この制御装置１には、車両の入庫を管理する入庫管理プログラム、車両の出庫を管理する出庫管理プログラムが含まれ、適宜の演算手段（ＣＰＵ）に基づいて、当該車両の入出庫を管理するようになっている。２はカメラ７を用いて入出庫する車両の登録番号を読み出し、読み出した画像情報から文字データを抽出して制御装置１に入力せしめる番号読取装置であり、又、４は当該駐車場に入出庫する車両の登録番号、入出庫日時、駐車毎のそれぞれの駐車料金、複数回の駐車の合計駐車料金等の各車両の駐車状況を管理するための管理データを格納するデータ保持装置であって、それぞれ当該制御装置１と接続されている。
【００１７】
尚、当該データ保持装置４は、半導体メモリやハードディスクで構成されている。
一方、当該出庫ゲート管理装置１３に於いて、例えば、３は車両の入出庫日時を当該制御装置１に与える時計装置であり、又、５は当該制御装置１に接続されている駐車料金精算装置であり、車両が入庫する際、駐車券を発行すると共に、当該車両が出庫する場合に当該駐車券を受け入れる駐車券発行／受領装置８、予め定められている駐車料金表を記憶している駐車料金記憶装置９、当該駐車料金記憶装置９が具備する当該料金表とデータ保持装置４が保持する当該車両の今回の駐車時間に関するデータとに基づいて、当該車両の今回の駐車料金を演算する駐車料金演算装置１０、当該駐車料金演算装置１０によって算出された当該車両の駐車料金を適宜の表示手段に表示する精算料金表示装置１１及び当該精算すべき駐車料金が入金されたか否かを識別する精算料金入金有無識別装置１２とから構成されている。
【００１８】
更に、当該制御装置１には、ゲート開閉装置６が接続されており、当該表示された当該駐車料金の精算が完了した事が認識されると、当該料金精算装置５からの駐車料金の精算済みを知らせる信号が当該制御装置１を経由して当該ゲート開閉装置６に伝達され、当該出庫ゲートを開放する様に構成されている。
【００１９】
次に、車両の駐車時間に対する本願の課金方法について、図４、５を参照して具体的に説明する。
なお、本発明に於いては、２４時間毎に切り替わる料金体系と、当日の２４時で切り替わる料金体系の何れの体系にも適用可能である。
【００２０】
図４、５の例では、１時間当たりの駐車料金が３００円、駐車料金の計算単位を２４時間とし、２４時間の駐車料金は１０００円で打ち切りになるようにしている。以降、本実施例では、１０００円を「打ち切り金額」という。
【００２１】
即ち、本具体例に於いては、図１に示す当該料金精算装置５に、更に、１車両について、２４時間の駐車料金の上限を予め設定する、日極め上限駐車料金設定装置１５を設け、更に、当該料金精算手段５に当該同一車両が同一日内で、支払った駐車料金を積算する駐車料金積算装置１６を設け、当該同一車両が同一日内で、支払った駐車料金、若しくは複数回入出庫を繰り返した結果、当該駐車料金の積算値が、当該日極め上限駐車料金を超えた場合には、それ以降の同一車両による同一日内での入出庫に対しては、駐車料金を課金せず、無料扱いとするものである。
【００２２】
本具体例に於ける当該日極め上限駐車料金設定装置１５は、上記したデータ保持装置４に設ける事も可能である。
又、当該駐車時間に日跨ぎが存在する場合には、０時以降についての計算は、新たに当日の料金を、前日の駐車料金とは別に計算するように構成している。
【００２３】
図４のパターン１の例では、９時から２時間駐車し、更に、１４時から３時間駐車している。従って、１時間当たりの駐車料金を３００円として計算すると、駐車料金は１５００円になるが、この実施例では、２４時間の駐車料金は１０００円で打ち切りになるようにしているから、１４時から３時間の駐車に対しては、４００円を課金している。
【００２４】
図４のパターン２の例では、９時から２時間駐車し、更に、１５時から１時間駐車し、１８時から２時間駐車している。従って、１時間当たりの駐車料金を３００円として計算すると、駐車料金は１５００円になるが、この例では、２４時間の駐車料金は１０００円で打ち切りになるようにしているから、１８時から２時間の駐車に対しては、１００円を課金している。更に、この例では、２１時から２時間駐車しているが、２１時から２時間の駐車に対しては、課金する必要がないから、課金していない。
【００２５】
図４のパターン３の例では、９時から２時間駐車し、更に、１５時から１時間駐車している。更に、翌日、２時から１時間駐車している。
この例では、０時以前の２回の駐車料金は、それぞれ６００円、３００円である。又、翌日の１時間の駐車に対しては、日が改まっているので、新たに駐車料金を計算することになる。２時から１時間の駐車料金は３００円である。
【００２６】
図５のパターン４の例では、９時から２時間駐車し、１５時から１時間駐車し、更に、１８時から翌日の０時台まで連続して合計７時間駐車している。
この場合、１８時から２４時までの駐車に対しては１００円が課金され、翌日の１時間の駐車に対して３００円課金され、合計の駐車料金は１３００円になる。
【００２７】
図５のパターン５の例では、約４日間駐車している。
即ち、１日目は、９時から２時間駐車し、１５時から１時間駐車している。更に、１８時から６時間駐車し、引き続き、２日目、３日目は２４時間駐車し、４日目の１０時まで連続して駐車している。
【００２８】
この場合、１日目の駐車料金は１０００円、２日目、３日目の駐車料金もそれぞれ１０００円、又、４日目の駐車料金は１０００円であるから、出庫時の課金額は、合計４０００円となる。
図５のパターン６の例でも、約４日間駐車している。
【００２９】
即ち、１日目は、１８時から６時間駐車し、引き続き、２日目、３日目は２４時間駐車し、４日目の１０時台まで駐車している。そして、更に、４日目の１８時から２時間駐車している。
【００３０】
この場合、１日目の駐車料金は１０００円、２日目、３日目の駐車料金もそれぞれ１０００円、又、４日目の駐車料金も１０００円である。従って、４日目の１８時から２時間の駐車に対しては、課金しない。従って、出庫時の課金額は、合計４０００円となる。
次に、上記した駐車料金の計算を行うための手順について説明する。
【００３１】
図２は、入庫を管理する入庫管理プログラムのフローチャートである。
車両が、入庫用のゲートに到着し、空き駐車スペースがあれば、車両の登録番号を番号読取装置２で読み取る（ステップＳ１）。
【００３２】
そして、時計装置３から入庫日時を取得した後、入庫車両が当日初めて入庫したのであれば（ステップＳ２）、管理ファイルに入庫車両の管理レコードを作成し、管理レコードに登録番号、入庫日時を記録し、登録番号、入庫日時を記録した駐車券を発行し（ステップＳ３）、ゲートを開く（ステップＳ５）。
【００３３】
なお、各入庫車両の管理レコードには、入庫車両の登録番号、入庫日時、出庫日時、支払われた駐車料金、支払われた合計の駐車料金、発券番号等が記録される。
又、今回の入庫が、この車両の当日の２回目以降の入庫であれば（ステップＳ３）、既に作成されているこの車両の管理レコードに今回の入庫日時を記録し、登録番号、入庫日時を記録した駐車券を発行し（ステップＳ４）、ゲートを開く（ステップＳ５）。
【００３４】
図３は、出庫を管理する出庫管理プログラムのフローチャートである。
なお、予め決められた打ち切り金額（本実施例の場合１０００円）は、入庫する際、又は出庫する際、支払うように構成しても良いし、又、駐車場内に設置された精算機で支払うように構成しても良い。
【００３５】
車両が、出庫用のゲートに到着し、駐車券を精算機に挿入すると（ステップＳ１０）、精算が開始される。そして、予め決められた打ち切り金額が既に支払われている場合には（ステップＳ１１）、出庫可能であるので、出庫ゲート管理装置は、出庫ゲートを開き、車両を出庫させる（ステップＳ２０）。
【００３６】
一方、予め決められた打ち切り金額が支払われていない場合（ステップＳ１１）、今回の駐車料金を計算する（ステップＳ１２）。更に、入庫車両が当日既に入庫したことがあれば、前回の駐車料金と今回の駐車料金との合計金額を計算する（ステップＳ１３）。この時、ステップＳ１３で求められた合計金額が、打ち切り金額以上になった場合は、打ち切り金額との差額金額を精算するように表示し、精算が完了すると（ステップＳ１５）、今回の駐車料金と、前回及び今回の駐車料金の合計金額をこの車両の管理レコードのそれぞれの所定の位置に書き込み（ステップＳ１６）、出庫ゲートを開き出庫を促す（ステップＳ２０）。
【００３７】
又、ステップＳ１３で求められた合計金額が、打ち切り金額以下であれば、入出庫時間に応じた駐車料金を計算し、計算された駐車金額を精算するように表示し（ステップＳ１７）、精算が完了すると（ステップＳ１８）、支払金額をこの入庫車両の管理レコードの所定の位置に書き込み（ステップＳ１９）、出庫ゲートを開き出庫を促す（ステップＳ２０）。
【００３８】
なお、上記実施例においては、打ち切り金額が支払われた場合、２４時間の範囲内で出入り自由にしたが、勿論最大駐車時間の上限を６時間又は１２時間等に設定しても良い。
又、本発明では、駐車料金として打ち切り金額が支払われた場合、打ち切り金額が支払われた当日において、その後何度でも入庫できるようになっているが、図２の入庫管理プログラムのフローチャートで説明したように、駐車スペースに空きがない場合には、入庫できなく、本願の発明は、再入庫を保証するものではない。
【００３９】
本発明に於ける当該駐車料金システムは、上記したシステム以外に、例えば、管理時間帯を第１の管理時間帯として８：００〜２４：００に設定し、又第２の管理時間帯として２４：００から８：００に設定し、且つ当該第１の管理時間帯に於ける駐車料金体系と当該第２の管理時間帯に於ける駐車料金体系での駐車料金を相互に異ならせる様に設定する事も可能であり、例えば、当該第２の管理時間帯に於ける駐車料金を当該第１の管理時間帯に於ける駐車料金よりも安く設定する事も可能である。
【００４０】
本発明に於ける当該車両の登録番号（ナンバープレートに記載の番号）を読み取る当該番号読み取り装置は、周囲の環境に影響されないように、例えば、非可視光線、例えば赤外線、近赤外線等を使用した画像読取装置、例えばカメラ等を使用するものであることが好ましく、更には、当該カメラは、車両の予め定められた部位にあるナンバープレートに焦点が合わされているものである事が望ましい。
【００４１】
従って、法令で定められた部位に当該ナンバープレートが取り付けられている所謂私的改造車では、本発明のシステムの対象とはなりえない。
従って、本発明を採用する駐車場では、当該ゲート近傍に、当該改造車では、当該駐車場には入場できるとしても、本発明のサービスは利用できない事を明記した通告書を表示しておく事が好ましく、それによって、違法改造車の増加を抑制する効果に貢献する事になる。
【００４２】
又、本発明に於いては、当該駐車場システムを導入した駐車場に入庫した車両のドライバーが、出庫する際に、自らその出庫当日で出庫後に再度当該駐車場を利用したいと言う意思を持っていて、当該以後の予定駐車がかなり長時間になる事が予想されている場合には、当該ドライバーの意思によって、当該出庫の際に当該ゲートに配置した適宜の選択ボタンを操作する事によって、以後の再度の出入庫の駐車料金をフリーにする事を当該システム側に通知できるように構成しておき、当該出庫の際に当該駐車料金の上限値までの金額を予め支払う事が出来る様に設定することや、一回の入出庫に限る場合や、複数種類の料金体系がある場合の選択を行える様に、選択ボタンを使用出来る様に構成することも可能である。
【００４３】
次に、本発明に於ける当該無人化入出庫自在駐車場管理システムの操作手順のより詳細な具体例を、図６乃至図８を参照しながら詳細に説明する。
即ち、本具体例に於いては、出庫時の処理操作手順の一例を示すものであり、図中、スタート後、ステップＳ−１で駐車券をセットし、ステップＳ−２で当該車両の入庫日に於ける最初の入庫時間から今回の出庫時間までの駐車時間を演算し、ステップＳ−３に於いて、当該駐車時間の合計は、当該最大駐車時間（例えば２４時間）以内かが判断され、ＹＥＳであれば、ステップＳ−４に進み、当日中で既に支払った駐車料金が記録されているか否かが判断され、当該ステップＳ−４でＮＯであれば、ステップＳ−５に進んで入庫から出庫までの駐車時間を算出した後、ステップＳ−６に進む。
【００４４】
ステップＳ−６では、当該駐車時間に対応する駐車料金（Ａ）を算出した後、ステップＳ−７に進み、当該駐車時間に対応する駐車料金（Ａ）が当該駐車料金の上限値（上限駐車料金（Ｕ））であるか否かが判断され、ＹＥＳであれば、ステップＳ−７に於いて、当該駐車料金（Ａ）は当該上限駐車料金（Ｕ）と同じか或いは当該上限駐車料金（Ｕ）を超えているかが判断され、ＹＥＳであればステップＳ−８に進み、上限駐車料金（Ｕ）を今回の駐車料金として請求する。
【００４５】
次いで、ステップＳ−９で当該駐車料金が精算されたか否かが判断され、ＮＯであればステップＳ−９が繰り返され、ＹＥＳであればステップＳ−１０に進み、上限駐車料金（Ｕ）の支払い事実を当該記憶手段に格納すると共に、当日内で以後の入庫、出庫をフリーとするフラグを立てた後、ステップＳ−１１に進み、駐車場のゲートを開放してＥＮＤとなる。
【００４６】
一方、ステップＳ−７でＮＯであれば、ステップＳ−１２に進み、上記駐車料金（Ａ）を駐車料金として請求する．
そして、ステップＳ−１３で当該駐車料金（Ａ）が精算されたか否かが判断され、ＮＯであればステップＳ−１３が繰り返され、ＹＥＳであればステップＳ−１４に進み、当該駐車料金（Ａ）の支払い事実を当該記憶手段に格納してステップＳ−１１に進み、駐車場のゲートを開放してＥＮＤとなる。
【００４７】
又、ステップＳ−４で、ＹＥＳであればステップＳ−１５に於いて、今回の入庫時から出庫までの時間を演算し、ステップＳ−１６に於いて、当該駐車時間に対応する駐車料金（Ｂ）を算出した後、ステップＳ−１７に於いて、当該車両が同一日に於いて既に支払済みの駐車料金の総額（Ｃ）を当該記憶手段から読み出し、ステップＳ−１８に進み、当該駐車料金（Ｂ）と当該既に支払済みの駐車料金の総額（Ｃ）とを加算して駐車料金の総額（Ｌ）＝（Ｂ）＋（Ｃ）を演算する。
【００４８】
次いで、ステップＳ−１９に於いて、当該駐車料金の総額（Ｌ）が、当該駐車料金の上限値（上限駐車料金（Ｕ））と同じか或いは当該上限駐車料金（Ｕ）を超えているかが判断され、ＹＥＳであれば、ステップＳ−２０に於いて、当該駐車料金の総額（Ｌ）から当該上限駐車料金（Ｕ）を減算した差額（Ｐ）＝（Ｕ）−（Ｌ）を今回の駐車料金として請求する。
【００４９】
その後、ステップＳ−２１に進んで、当該駐車料金（Ｐ）が精算されたか否かが判断され、ＮＯであればステップＳ−２１が繰り返され、ＹＥＳであればステップＳ−２２に進み当該駐車料金（Ｐ）の支払い事実を当該記憶手段に格納すると共に、当日内で以後の入庫、出庫をフリーとするフラグを立て、ステップＳ−１１に進み、駐車場のゲートを開放してＥＮＤとなる。
【００５０】
又、ステップＳ−１９でＮＯであれば、ステップＳ−２３に進んで、入庫、出庫がフリーである事を求めるか否かが判断され、ＹＥＳであればステップＳ−２４に進み、当該上限駐車料金（Ｕ）から当該駐車料金の総額（Ｌ）を減算した差額（Ｄ）＝（Ｕ）−（Ｌ）を今回の駐車料金として請求する。
【００５１】
次いで、ステップＳ−２５に於いて、当該駐車料金（Ｄ）が精算されたか否かが判断され、ＮＯであればステップＳ−２５が繰り返され、ＹＥＳであればステップＳ−２６に進み当該駐車料金（Ｄ）の支払い事実を当該記憶手段に格納すると共に、当日内で以後の入庫、出庫をフリーとするフラグを立て、ステップＳ−１１に進み、駐車場のゲートを開放してＥＮＤとなる。
【００５２】
一方、ステップＳ−２３でＮＯであれば、ステップＳ−２７に進み、駐車料金（Ｂ）を今回の駐車料金として請求し、ステップＳ−２８に於いて、当該駐車料金（Ｂ）が精算されたか否かが判断され、ＮＯであればステップＳ−２８が繰り返され、ＹＥＳであればステップＳ−２９に進み当該駐車料金（Ｂ）の支払い事実を当該記憶手段に格納してステップＳ−１１に進み、駐車場のゲートを開放してＥＮＤとなる。
【００５３】
又、前記したステップＳ−３に於いてＮＯであれば、ステップＳ−３０に進み、日跨ぎがあったことを確認し、ステップＳ−３１に進み、当日の入庫時刻から当日末時刻までの駐車時間を算出し、ステップＳ−３２に於いて、当該駐車時間に対応する駐車料金（Ｅ）を算出する。
【００５４】
その後、ステップＳ−３３に於いて、当該車両に関して当日中に既に支払った駐車料金があるか否かが判断され、ＹＥＳであれば、ステップＳ−３４に進んで、今回の駐車料金（Ｅ）と、当該既に支払った駐車料金の合計金額（Ｆ）とを加算した加算値として（Ｇ）＝（Ｅ）＋（Ｆ）を算出する。
一方、ステップＳ−３３に於いて、ＮＯであれば、後述する様に、ステップＳ−３５に進む事になる。
【００５５】
次いで、ステップＳ−３５に於いて、当該加算値（Ｇ）或いは駐車料金（Ｅ）が当該駐車料金の上限値（上限駐車料金（Ｕ））と同じか或いは当該上限駐車料金（Ｕ）を超えているかが判断され、ＹＥＳであれば、ステップＳ−３７に於いて、当該加算値（Ｇ）或いは駐車料金（Ｅ）と当該上限駐車料金（Ｕ）との差額（Ｈ）＝（（Ｇ）或いは（Ｅ））−（Ｕ）が演算され、その結果（Ｈ）を駐車料金として定め、駐車料金がステップＳ−３８で当該記憶手段に格納される。
【００５６】
一方、ステップＳ−３５でＮＯであれば、ステップＳ−３６に於いて当該加算値（Ｇ）或いは駐車料金（Ｅ）を駐車料金として定め、当該駐車料金がステップＳ−３８で当該記憶手段に格納される。
【００５７】
その後、ステップＳ−３９に於いて、更なる日跨ぎが存在するか否かが判断され、ＮＯであればステップＳ−４０に進み、当該日跨ぎ日（翌日）の０時から当該車両の入庫時刻までの駐車時間を算出し、ステップＳ−４１で、当該駐車時間に対応する翌日分の駐車料金（Ｉ）を算出する。
【００５８】
次いで、ステップＳ−４２に進み、当該翌日分の駐車料金（Ｉ）が当該駐車料金の上限値（上限駐車料金（Ｕ））と同じか或いは当該上限駐車料金（Ｕ）を超えているかが判断され、ＮＯであればステップＳ−４３に進み、入庫、出庫がフリーである事を求めるか否かが判断される。
【００５９】
当該ステップＳ−４３でＮＯであれば、ステップＳ−４４に進んで、翌日分の駐車料金（Ｉ）と前日の駐車料金（Ｈ）又は（（Ｇ）或いは（Ｅ）の何れか）の合計を今回の駐車料金として請求し、ステップＳ−４５に於いて当該駐車料金（Ｉ）＋｛（Ｈ）又は（Ｇ）或いは（Ｅ）の何れか）｝が精算されたか否かが判断され、ＮＯであればステップＳ−４５が繰り返され、ＹＥＳであればステップＳ−４６に進み当該駐車料金（Ｉ）の支払い事実を当該記憶手段に格納すると共に、前日の全てのデータを当該記憶手段から消去してテップＳ−１１に進み、駐車場のゲートを開放してＥＮＤとなる。
【００６０】
一方、当該ステップＳ−４３でＹＥＳであればステップＳ−４７に進み、当該上限駐車料金（Ｕ）と前日の駐車料金（Ｈ）又は（（Ｇ）或いは（Ｅ）の何れか）との合計を今回の駐車料金として請求する。
【００６１】
次いで、ステップＳ−４８に於いて、当該駐車料金（Ｕ）＋｛（Ｈ）又は（（Ｇ）或いは（Ｅ）の何れか）｝が精算されたか否かが判断され、ＮＯであればステップＳ−４８が繰り返され、ＹＥＳであればステップＳ−４９に進み当該上限駐車料金（Ｕ）の支払い事実を当該記憶手段に格納すると共に、前日の全てのデータを当該記憶手段から消去し、且つ当日内で以後の入庫、出庫をフリーとするフラグを立て、ステップＳ−１１に進み、駐車場のゲートを開放してＥＮＤとなる。
【００６２】
一方、ステップＳ−４２で、ＹＥＳであればステップＳ−５０に進み、今回の駐車料金として、翌日の当該上限駐車料金（Ｕ）及び前日の駐車料金として、上記した｛（Ｈ）又は（（Ｇ）或いは（Ｅ）の何れか）｝の合算された額を請求し、ステップＳ−５１に於いて当該駐車料金（Ｕ）＋｛（Ｈ）又は（（Ｇ）或いは（Ｅ）の何れか）｝が精算されたか否かが判断され、ＮＯであればステップＳ−５１が繰り返され、ＹＥＳであればステップＳ−５２に進み当該上限駐車料金（Ｕ）の支払い事実を当該記憶手段に格納すると共に、前日の全てのデータを当該記憶手段から消去し、且つ当日内で以後の入庫、出庫をフリーとするフラグを立て、その後ステップＳ−１１に進み、駐車場のゲートを開放してＥＮＤとなる。
【００６３】
一方、ステップＳ−３９でＹＥＳであれば（つまり更なる日跨ぎが存在している場合）ステップＳ−５３に於いて、当該上限駐車料金（Ｕ）に当該更なる日跨ぎの回数ｍを乗算した金額｛（Ｊ）＝（Ｕ）×ｍ｝が演算され、続いてステップＳ−５４で、当該日跨ぎが最後の日跨ぎであるか否かが判断され、ＮＯであればステップＳ−５６に進み、日跨ぎの回数ｍを１だけインクリメントしてステップＳ−５３に戻り、上記操作を繰り返えすが、当該ステップＳ−５４でＹＥＳであれば、ステップＳ−５５に進み、当該更なる日跨ぎの回数ｍに基づく駐車料金｛（Ｊ）＝（Ｕ）×ｍ｝を請求額として決定し、当該記憶手段に格納しておく。
【００６４】
その後、ステップＳ−５７に於いて、最後の日跨ぎ日の当日の０時から当該車両の出庫時刻までの駐車時間を算出し、ステップＳ−５８に進んで当該駐車時間に対応する駐車料金（Ｋ）として算出する。
【００６５】
更に、ステップＳ−５９に於いて、当該駐車料金（Ｋ）が当該駐車料金の上限値（Ｕ）と同じか或いは当該上限駐車料金（Ｕ）を超えているかが判断され、ＹＥＳであれば、ステップＳ−６０に於いて、当該上限駐車料金（Ｕ）と上記の更なる日跨ぎの回数ｍに基づく駐車料金（Ｊ）及び当該日跨ぎ日以前の日における駐車料金である上記｛（Ｈ）又は、（（Ｇ）或いは（Ｅ）の何れか）｝の合算された額（Ｍ）＝（Ｕ）＋（Ｊ）＋｛（Ｈ）又は（（Ｇ）或いは（Ｅ）の何れか）｝を算出して今回の駐車料金として請求する。
【００６６】
その後、ステップＳ−６１に於いて、当該駐車料金（Ｍ）が精算されたか否かが判断され、ＮＯであればステップＳ−６１が繰り返され、ＹＥＳであればステップＳ−６２に進み当該上限駐車料金（Ｕ）の支払い事実を当該記憶手段に格納すると共に、前日の全てのデータを当該記憶手段から消去し、且つ当日内で以後の入庫、出庫をフリーとするフラグを立て、ステップＳ−１１に進み、駐車場のゲートを開放してＥＮＤとなる。
【００６７】
一方、ステップＳ−５９でＮＯであれば、ステップＳ−６３に進んで、当該ステップＳ−６３でＮＯであれば、ステップＳ−６８に進み、当該最後の更なる日跨ぎ日当日の駐車料金（Ｋ）と当該更なる日跨ぎの回数ｍに基づく駐車料金（Ｊ）及び当該日跨ぎ日以前の日における駐車料金である上記｛（Ｈ）又は（（Ｇ）或いは（Ｅ）の何れか）｝とが合算された額（Ｐ）＝（Ｋ）＋（Ｊ）＋｛（Ｈ）又は（（Ｇ）或いは（Ｅ）の何れか）｝を算出して今回の駐車料金として請求する。
【００６８】
次いで、ステップＳ−６９に於いて、当該駐車料金（Ｐ）が精算されたか否かが判断され、ＮＯであればステップＳ−６９が繰り返され、ＹＥＳであればステップＳ−７０に進み、当該駐車料金（Ｋ）の支払い事実を当該記憶手段に格納すると共に、前日の全てのデータを当該記憶手段から消去してテップＳ−１１に進み、駐車場のゲートを開放してＥＮＤとなる。
【００６９】
一方、当該ステップＳ−６３でＹＥＳであればステップＳ−６４に進み、当該上限駐車料金（Ｕ）から当該最後の日跨ぎ日当日の駐車料金（Ｋ）を減算した差額（Ｎ）＝（Ｕ）−（Ｋ）を算出する。
【００７０】
次いで、ステップＳ−６５に於いて、当該上限駐車料金（Ｕ）から当該最後の日跨ぎ日当日の駐車料金（Ｋ）を減算した差額（Ｎ）と当該更なる日跨ぎの回数ｍに基づく駐車料金（Ｊ）及び当該日跨ぎ日以前の日における駐車料金である上記｛（Ｈ）又は（（Ｇ）或いは（Ｅ）の何れか）｝とが合算された額、即ち（Ｏ）＝（Ｎ）＋（Ｊ）＋｛（Ｈ）又は（（Ｇ）或いは（Ｅ）の何れか）｝を算出して今回の駐車料金として請求する。
【００７１】
次いで、ステップＳ−６６に於いて、当該駐車料金（Ｏ）が精算されたか否かが判断され、ＮＯであればステップＳ−６６が繰り返され、ＹＥＳであればステップＳ−６７に進み、当該駐車料金（Ｎ）の支払い事実を当該記憶手段に格納すると共に、前日の全てのデータを当該記憶手段から消し、且つ当日内で以後の入庫、出庫をフリーとするフラグを立て、ステップＳ−１１に進み、駐車場のゲートを開放してＥＮＤとなる。
【００７２】
以上説明してきた本発明の一具体例では、料金体系が当日の２４時で切り替わるシステムを使用した場合の例を示したものであり、例えば当該料金体系が２４時間毎に切り替わるシステムである場合には、別途必要なプログラムを用意する事になる。
【実施例２】
【００７３】
上記した本発明に於ける当該駐車場の料金管理装置とその管理システムの一具体例に於いては、単日内或いは複数日間での駐車場に於ける車両の入出庫管理を対象として説明したが、本発明は、これに限定されるものではなく、月単位での駐車場に於ける車両の入出庫管理として実施する事も可能である。
従って、以下に於いて、本発明の第３の態様として、本発明を月単位での駐車場に於ける車両の入出庫管理に使用する場合の具体例を詳細に説明する。
【００７４】
即ち、本発明に於ける第３の態様としては、図９に示す様に、車両の登録番号を読み取る車両番号読取装置２２と、計時手段２３と、車両の入出庫月日時を検出して入出庫月日時を記録すると共に、前記車両の登録番号、各出庫毎に支払われた駐車料金を記録し、保持するデータ保持手段２４と、前記データ保持手段２４が保持するデータに基づいて、前記車両の出庫時毎の駐車料金を計算する駐車料金演算手段３０と、前記駐車料金が請求され、入金が確認された後、出庫ゲートを開くように構成した出庫ゲート開閉手段２６とを含む入出庫ゲート管理装置３３と、からなる駐車場の料金管理装置３４において、
【００７５】
当該入出庫ゲート管理装置３３に、予め月毎の最大駐車料金を設定しておき、当該入出庫ゲート管理装置３３は、当該同一車両による同一月内で支払われた個々の駐車料金を積算し、当該積算された当該同一車両による同一月内での駐車料金の総額が、当該月毎の最大駐車料金を超過した場合には、当該同一車両による当該月毎の最大駐車料金を超過した料金が支払われた時点以降から当該同一月の末日までの当該同一車両の入出庫に対して、課金をしないように構成したことを特徴とする駐車場の料金管理装置である。
【００７６】
図９において、２１は、本発明の料金管理装置３４の主要部を構成する出庫ゲート管理装置３３を制御する制御装置である。この制御装置２１には、車両の入庫を管理する入庫管理プログラム、車両の出庫を管理する出庫管理プログラムが含まれ、適宜の演算手段（ＣＰＵ）に基づいて、当該車両の入出庫を管理するようになっている。２２はカメラ２７を用いて入出庫する車両の登録番号を読み出し、読み出した画像情報から文字データを抽出して制御装置２１に入力せしめる番号読取装置であり、又、２４は当該駐車場に入出庫する車両の登録番号、入出庫日時、駐車毎のそれぞれの駐車料金、複数回の駐車の合計駐車料金等の各車両の駐車状況を管理するための管理データを格納するデータ保持装置であって、それぞれ当該制御装置２１と接続されている。
【００７７】
尚、当該データ保持装置２４は、半導体メモリやハードディスクで構成されている。
一方、当該出庫ゲート管理装置３３に於いて、例えば、２３は車両の入出庫日時を当該制御装置２１に与える時計装置であり、又、２５は当該制御装置２１に接続されている駐車料金精算装置であり、車両が入庫する際、駐車券を発行すると共に、当該車両が出庫する場合に当該駐車券を受け入れる駐車券発行／受領装置２８、予め定められている駐車料金表を記憶している駐車料金記憶装置２９、当該駐車料金記憶装置２９が具備する当該料金表とデータ保持装置２４が保持する当該車両の今回の駐車時間に関するデータとに基づいて、当該車両の今回の駐車料金を演算する駐車料金演算装置３０、当該駐車料金演算装置３０によって算出された当該車両の駐車料金を適宜の表示手段に表示する精算料金表示装置３１及び当該精算すべき駐車料金が入金されたか否かを識別する精算料金入金有無識別装置３２と更には、同一月内に於ける最大駐車料金を予め設定している月極め上限駐車料金記憶装置３５及び同一車両による同一月内での駐車料金積算装置３６とから構成されている。
【００７８】
更に、当該制御装置２１には、ゲート開閉装置２６が接続されており、当該表示された当該駐車料金の精算が完了した事が認識されると、当該料金精算装置２５からの駐車料金の精算済みを知らせる信号或いは月極め上限駐車料金が既に支払われているという情報が当該制御装置２１を経由して当該ゲート開閉装置２６に伝達され、当該出庫ゲートを開放する様に構成されている。
尚、上記具体例に於いては、当該駐車料金記憶装置２９及び又は当該月極め上限駐車料金記憶装置３５は、当該データ保持装置２４内に設けることも可能である。
【００７９】
つまり、本具体例に於いては、当該月極め上限駐車料金記憶装置３５に、予め月毎の最大駐車料金を設定しておき、当該駐車場の駐車料金演算手段２５は、当該同一車両による同一月内でこれまでに支払われた全ての駐車料金を積算し、当該積算された当該同一車両による同一月内での駐車料金の総額が、当該最大駐車料金、つまり月極め最大駐車料金を超過したか否かを当該出庫ゲート管理装置３３で判断し、同一月内に於ける当該同一車両による当該駐車料金の総額が、当該月極め最大駐車料金を超過した場合には、当該同一車両による当該月毎の最大駐車料金を超過した料金が支払われた時点以降から当該同一月の末日までの当該同一車両の入出庫に対して、課金をしないように構成された駐車場の料金管理装置３４が示されている。
【００８０】
即ち、本発明に於ける第３の態様としての当該駐車場の料金管理装置３４では、基本的には、上記した具体例で示されている日極めによる固定された単位時間毎の特定の駐車料金の課金システムに基づき、同一日内に於ける同一車両による駐車料金の総額が、予め設定されている日極め上限駐車料金を超えた場合に、当該同一車両が当該駐車料金の総額が当該日極め上限駐車料金を超えた駐車料金を支払った時点以降の当該同一車両の同一日内での入出庫に対しては、駐車料金を無料にするという基本的技術思想を活用して、月極めによる上限駐車場の料金管理システムに発展させたものである。
【００８１】
つまり、換言するならば、本発明に於ける当該第３の態様に係る駐車場の料金管理装置３４にあっては、同一月内に於いて同一の車両が複数回入出庫した場合に、当該車両の個々の入出庫に対する個別の駐車料金は、個別に演算して、当該同一車両の所有者若しくは運転者に請求して当該駐車料金を支払わせると同時に、当該同一車両の当該個々の入出庫に対する入庫月、入庫日、入庫時間、及び出庫月、出庫日、出庫時間並びに個別の入出庫に対するそれぞれの駐車料金を車両識別番号と共に所定の記憶手段２４に記憶させておき、当該同一車両が、同一月内で入出庫する毎に、当該最新の入出庫に対する最新の駐車料金を演算により算出すると共に、同一月内で過去に当該同一車両に課金された個々の駐車料金を積算して支払い済み積算駐車料金を当該駐車料金積算装置３６で演算し、今回新たに算出した当該最新の駐車料金を当該支払い済み積算駐車料金とを合算して当該同一車両が同一月内で支払うべき駐車料金の総額を求める。（尚、個々の出庫時には、その駐車に対する駐車料金は精算されるものとする。）
【００８２】
そして、当該同一車両が同一月内で支払うべき駐車料金の総額が、上記した月極め上限駐車料を越えているか否かを判断し、当該駐車料金の総額が、当該月極め上限駐車料を超えている場合には、当該同一車両が同一月内で、当該月極め上限駐車料を超える駐車料金を支払った時点（この場合には月極め上限駐車料金を支払うことになる）以降から同一月内の最終日の最終時刻までの間の当該同一車両による１乃至複数回の入出庫に対しては、当該駐車料金を無料とするものである。
【００８３】
本発明に於ける当該第３の態様に於ける別の具体例としては、車両の登録番号を読み取る車両番号読取装置と、車両の入出庫月日時を検出して入出庫月日時を記録すると共に、前記車両の登録番号、支払われた駐車料金を記録し、保持するデータ保持手段と、前記データ保持手段が保持するデータに基づいて、前記車両の出庫時毎の駐車料金を計算する駐車料金演算手段と、前記駐車料金が請求され、入金が確認された後、出庫ゲートを開くように構成した出庫ゲート開閉手段、当該各手段の操作を制御管理する制御手段とを含む入出庫ゲート管理装置とからなる駐車場の料金管理装置において、当該入出庫ゲート管理装置に、予め月毎の最大駐車料金を設定しておき、当該入出庫ゲート管理装置は、当該同一車両による同一月内で支払われた個々の駐車料金を積算し、当該積算された当該同一車両による同一月内での駐車料金の総額が、当該月毎の最大駐車料金を超過した場合には、当該同一車両による当該月毎の最大駐車料金を超過した料金が支払われた時点以降から当該同一月の末日までの当該同一車両の入出庫に対して、課金をしないように制御する機能をコンピュータに実現させるように構成したことを特徴とするプログラムである。
【００８４】
上記した本発明に於ける当該第３の態様の更に詳細な構成例を以下に説明する。
即ち、当該構成例としては、駐車場に入庫或は当該駐車場から出庫する車両の登録番号を読み取る車両番号読取手段２２、当該読み取られた車両登録番号と対応して、少なくとも当該車両の当該駐車場への入庫年月日、入庫時刻、出庫年月日、出庫時刻並びに当該車両が所定の月内で既に支払済みである駐車料金を記憶しておく駐車情報記憶手段２４、単位時間毎の駐車時間に対する料金で構成された料金体系と、月極めの上限駐車料金体系とが設定されている料金体系システムとを記憶する料金システム記憶手段４１、年情報、月情報、日情報及び時間を演算する時間演算手段２３、当該駐車情報記憶手段２４に於ける記憶された駐車情報から当該車両の最新の入庫月日に於ける最新の入庫時刻から最新の出庫月日に於ける最新の出庫時刻までの期間を演算して、当該期間における当該車両の今回の最新駐車料金を演算する駐車料金演算手段３０、当該車両が当該同一月内で、過去に支払済みの全ての駐車料金を積算して、精算月累積駐車料金を演算する精算月累積駐車料金演算手段４２、当該最新の出庫月日において当該演算された最新の駐車料金と当該精算月累積駐車料金とを加算して当月分累積駐車料金を演算する当月分累積駐車料金演算手段４３、当該同一月内に於ける、当該当月分累積駐車料金が当該月極め上限駐車料金より低いか否かを判断する第１判断手段４４、当該同一月内に於ける当該当月分累積駐車料金が当該月ぎめ上限駐車料金より低い場合には、当該最新の駐車料金を新たな駐車料金として演算する第１演算手段４５と、当該同一月内に於ける当該当月分累積駐車料金が当該月極め上限駐車料金より高い場合には、当該月ぎめ上限駐車料金と当該精算月累積駐車料金との差額料金を当該最新の駐車料金を新たな駐車料金として演算する第２演算手段４６、当該第１もしくは第２演算手段が演算した駐車料金を今回の駐車料金として請求する駐車料金請求手段４７と、当該車両が当該請求された駐車料金を支払った場合には、出庫ゲートを開くように構成した出庫ゲート開閉手段２６を含み、更に、当該第２演算手段４６により決定された当該新たな駐車料金が精算された後は、当該同一車両が同じ月内にその後再度入庫した場合には、当該再入庫時刻から同月末日の最終時刻までの間の当該車両に対する入出庫に対する駐車料金は無料と判断し、それ以降の車両の出庫に対しては駐車料金の請求無しに当該ゲートを開放する様に構成された出庫ゲート開閉制御手段４８とから構成されている無人化入出庫自在駐車場管理システムである。
【００８５】
又、本発明に於ける別の具体例としては、駐車場に入庫或は当該駐車場から出庫する車両の登録番号を読み取る車両番号読取手段２２、当該読み取られた車両登録番号と対応して、少なくとも当該車両の当該駐車場への入庫年月日、入庫時刻、出庫年月日、出庫時刻並びに当該車両が所定の月内で既に支払済みである駐車料金を記憶しておく駐車情報記憶手段２４、単位時間毎の駐車時間に対する料金で構成された料金体系と、月極めの上限駐車料金体系とが設定されている料金体系システムと、を記憶する料金システム記憶手段４１、年情報、月情報、日情報及び時間を演算する時間演算手段２３、当該駐車情報記憶手段２４に於ける記憶された駐車情報から当該車両の最新の入庫月日に於ける最新の入庫時刻から最新の出庫月日に於ける最新の出庫時刻までの期間を演算して、当該期間における当該車両の駐車料金を演算する駐車料金演算手段３０、当該車両が当該同一月内で、過去に支払済みの全ての駐車料金を積算して精算月累積駐車料金を演算する精算月累積駐車料金演算手段４２、当該最新の出庫月日において当該演算された最新の駐車料金と当該精算月累積駐車料金とを加算して当月分累積駐車料金を演算する当月分累積駐車料金演算手段４３、当該同一月内に於ける、当該当月分累積駐車料金が当該月極め上限駐車料金より低いか否かを判断する第１判断手段４４、当該同一月内に於ける当該当月分累積駐車料金が当該月ぎめ上限駐車料金より低い場合には、当該最新の駐車料金を新たな駐車料金として演算する第１演算手段４５と、当該同一月内に於ける当該当月分累積駐車料金が当該月極め上限駐車料金より高い場合には、当該月ぎめ上限駐車料金と当該精算月累積駐車料金との差額料金を当該最新の駐車料金を新たな駐車料金として演算する第２演算手段４６、当該第１もしくは第２演算手段が演算した駐車料金を今回の駐車料金として請求する駐車料金請求手段４７と、当該車両が当該請求された駐車料金を支払った場合には、出庫ゲートを開くように構成した出庫ゲート開閉手段２６を含み、更に、当該第２演算手段４６により決定された当該新たな駐車料金が精算された後は、当該同一車両が同じ月内にその後再度入庫した場合には、当該再入庫時刻から同月末日の最終時刻までの間の当該車両に対する入出庫に対する駐車料金は無料と判断し、それ以降の車両の出庫に対しては駐車料金の請求無しに当該ゲートを開放する様に構成された出庫ゲート開閉制御手段４８とから構成されている無人化入出庫自在駐車場管理システムを制御する機能をコンピュータに実現させる様に構成した事を特徴とするプログラムである。
【００８６】
上記具体例に於いて、当該所定の車両の登録番号と対比して構成されている当該データ保持手段に記憶された各駐車情報は、当該車両が請求された駐車料金の全てを支払った後で、月替わり時点或は当該予め定められた所定の駐車時間経過後に消去される様に構成されている事が望ましい。
【００８７】
又、本発明に於ける当該第３の態様では、月跨ぎの駐車があった場合にも対応する事が可能である。
以下に、本発明に於ける当該第３の態様で月跨ぎの駐車があった場合の具体的な構成例を説明する。
【００８８】
即ち、所定の月に於ける所定の日に当該車両が入庫してから、当該車両が出庫した月日との間で月跨ぎが発生した場合には、当該車両が駐車した複数駐車月の内、当該駐車場に入庫した最先月の月日の入庫時刻と当該車両が入庫した最先月に於ける最終日の最終時刻までの当該車両の駐車時間とから、最先の駐車月に於ける最終の駐車料金を演算する最先月駐車料金演算手段４９、当該最先入庫月日における当該演算された最終の駐車料金と、当該精算月累積駐車料金演算手段４２によって演算された、当該車両が入庫した当該最先月内で、過去に支払済みの全ての駐車料金を加算した精算済み最先月累積駐車料金とを加算して当該最先入庫月に於ける累積駐車料金を演算する最先入庫月累積駐車料金演算手段５０、当該演算された当該最先入庫月累積駐車料金額が当該月ぎめ上限駐車料金より低いか否かを判断する第２判断手段５１、当該最先入庫月累積駐車料金が当該月ぎめ上限駐車料金より低い場合には、当該最先入庫月累積駐車料金を当該最先入庫月の最終駐車料金（第１の駐車料金）として決定する第３の演算手段５２（尚、実際にこの段階で支払う必要のある駐車料金は、過去に既に支払い済みの駐車料金は除外されるので、今回の最終駐車料金である）、当該最先入庫月累積駐車料金が当該月ぎめ上限駐車料金より高い場合には、当該月極め上限駐車料金と当該最先入庫月に於ける過去に支払済みの全ての駐車料金を加算した支払い済み最先月累積駐車料金との差額料金を演算し、それを当該最先入庫月の最終駐車料金（第１の駐車料金）として決定する第４の演算手段５３、及び当該車両が当該駐車場に駐車した複数駐車月の内、当該駐車場から出庫した最終月の月の最先の日の０時００分から当該車両が出庫する時刻までの同一月日に於ける駐車時間から第２の駐車料金を演算する第５の演算手段５４、当該第２の駐車料金が当該月ぎめ上限駐車料金より低いか否かを判断する第３判断手段５５、当該第２の駐車料金が当該月ぎめ上限駐車料金より低い場合には、当該第２の駐車料金を当該最終駐車月に於ける新たな駐車料金として決定する第６の演算手段５６、当該第２の駐車料金が当該上限駐車料金より高い場合には、当該上限駐車料金を当該最終駐車月に於ける新たな駐車料金として決定する第７の演算手段５７、当該最先の駐車月と当該最終の駐車月との間に１つ或は複数の中間駐車月が存在している場合には、当該各中間駐車月に対する駐車料金として、当該打切り金額を当該中間駐車月の駐車料金（第３の駐車料金）として決定する第８の演算手段５８、当該第１の駐車料金と当該第２の駐車料金と単一若しくは複数の当該第３の駐車料金とを加算して、それを当該車両の月跨ぎ駐車に対する合計駐車料金として請求する駐車料金請求手段４７と、当該車両が当該合計駐車料金を支払った場合には、当該車両番号に対応するデータ保持手段２４に於ける、当該最終駐車月以外の月の駐車関情報を消去する駐車関情報消去手段５９、及び当該駐車料金の支払い情報に基づいて、ゲートを開放する出庫ゲート開閉手段２６とから構成されている上記装置を利用した無人化入出庫自在駐車場管理システムであり、又、上記した制御処理を実行する機能をコンピュータに実現させる様に構成した事を特徴とするプログラムである。
【００８９】
尚、本具体例に於いて、最先月に於ける当該車両の入庫以前に駐車した実績が無い場合には、当該最先月に於ける最先月累積駐車料金は、０円となる。
又、本具体例に於いては、当該最先月に於ける当該車両の入庫以前に当該車両が既に駐車した実績があり、当該最先月累積駐車料金が既に当該月極め上限駐車料金に到達している場合には、当該車両の当該最先月に於ける今回の最終駐車に対する駐車料金は無料となることは言うまでも無い。
【００９０】
本発明に係る当該第３の具体例を、更に詳細に図１０乃至図１３を参照しながら説明する。
即ち、図１０に示す具体例では、同一月内で複数回の入出庫が行われた場合の例を示すものであって、図１０に示す様に、９月１日に所定の車両が本発明の駐車料金管理システムを使用する駐車場（単位駐車料金を３０分１００円とし、月極め上限駐車料を９０００円に設定しているものとする）に入庫後、複数回入出庫した結果、同日の合計駐車料金として当該車両に対して３００円が請求され、翌日の９月２日には、同日の合計駐車料金として当該車両に対して１０００円が請求され、又９月３日には、同様に同日の合計駐車料金として当該車両に対して５００円が請求され、３日間で１８００円が支払われた。
【００９１】
その後、同一車両で同様の入出庫が繰り返され、９月２０日には、同日の合計駐車料金として当該同一車両に対して８００円が請求され、この日迄に、当該同一車両は、駐車料金として総額８８００円を支払っている。
【００９２】
そして、９月２１日には、同日の合計駐車料金として当該同一車両に対して６００円が請求されたが、当該同日の合計駐車料金を９月２０日迄に同一車両が支払った、駐車料金の総額８８００円に加算すると当該月極め上限駐車料９０００円を超過する事になる。
【００９３】
その為、９月２１日に於ける当該車両の合計駐車料金は、２００円で打ち切りとなり、従って、当該車両が当該２００円を支払った時点以降（９月２１日も含めて）当該同一月の最終日である９月３０日の最終時刻（２３時５９分）までの間の同一車両による入出庫は何回実行されても無料となる。
【００９４】
そして、日にちが替わり且つ月が替わり、１０月１日０時００分に、上記した当該車両の９月時点での全ての駐車情報はリセットされる事になり、新たに、上記したと同様の駐車場管理が開始されることになる。
【００９５】
例えば、単位時間毎の駐車料金を３０分／１００円と設定し、一月内での月極め上限駐車料金を９０００円と設定した場合には、同一車両が一ヶ月間に月始めから４５時間当該駐車場を使用すると、それ以降の同一月内での同一車両の入出庫は無料とのなることを意味している。
【００９６】
本態様に於いては、一月内のそれぞれの日に於ける、同一車両の入出庫に関しては、日極め上限駐車料を設定する事も可能であり、又日極め上限駐車料を設定しなくても良い。
本具体例に於いて、当該日極め上限駐車料金を設定するシステムを採用する場合には、本発明に於ける上記した第１若しくは第２の態様のシステムを併用する事が可能である。
【００９７】
更に、本具体例に於いて、月替わり時の料金体系としては、特に限定されるものではないが、その月の最終日の２３時５９分でその月の駐車料金を一旦精算し、翌月の１日の０時００分から新にその月の駐車料金を算出して精算する方法を採用しても良く、又、基本駐車料金として３０分／１００円を設定している場合であって、日極め上限駐車料金を設定していない場合に、当該月の末日の２３時５９分或いはこれに近い時刻に、ある車両が入庫した場合、入庫当日の料金は、３０分間は一定料金となっているので、入庫当日の駐車料金は、その日の２３時５９分から翌日、即ち、翌月の初日の０時２９分までの時間帯が駐車料金１００円となり、従って翌月の月初開始時間は、翌日即ち、翌月の初日の０時２９分からとなる様に設定する事もできる。
【００９８】
又、別の具体例としては、当該基本駐車料金として３０分／１００円を設定している場合であって、入庫時刻から２４時間毎に日極め上限駐車料金として１２００円を設定している場合に、当該月の末日の２３時５９分或いはこれに近い時刻に、ある車両が入庫した場合、入庫当日の料金は、２４時間分は一定料金となっているので、入庫当日の駐車料金はその日の２３時５９分から翌日の２３時５９分までの時間帯が最大駐車料金１２００円となり、従って翌月の月初開始時間は、翌日即ち、翌月の初日の２３時５９分からとなる様に設定する事もできる。
【００９９】
上記具体例に於いて、その月内での累積駐車料金が当該月極め上限駐車料金に到達していた場合には、丸１日分が実質的に無料と見なされる。
上記した本具体例に於いて使用されるデータファイルの構成例を図１１に示す。
即ち、図１１（Ａ）は、本具体例で使用される在車ファイルの構成の一具体例を示すものであり、車両が入庫する時点で作成されるものである。
【０１００】
一方、図１１（Ｂ）は、本具体例で使用される月内利用車両ファイルの構成の一具体例を示すものであり、月初めの午前０時００分に前回精算年月と現在の年月の不一致の記録を削除するものである。
これらの各ファイルは、上記したデータ保持手段４に設けられていることが望ましい。
【０１０１】
次に、上記した本発明に於ける第３の態様に関する具体的操作手順に付いて、図１２及び図１３のフローチャートを参照しながら詳細に説明する。
尚、図１３のフローチャートは、本発明に於ける当該第３の態様で、同一月内に於ける駐車処理方法と月跨ぎ（つまり２ヶ月或は３ヶ月或はそれ以上の月を継続して駐車が行われた場合）駐車が行われた場合の双方に対応できる様になっている。
【０１０２】
即ち、図１２は、当該第３の具体例に於ける車両が入庫する場合の当該システムにおける操作手順の一例を示すものであって、スタート後、ステップＳ−８０に於いて、当該駐車場に駐車スペースが有るか否かが判断され、ＮＯであれば、当該工程を繰り返し、ＹＥＳであれば、ステップＳ−８１に進み、入庫使用とする当該車両の車両登録番号を読み込む操作が実行される。
【０１０３】
次いで、ステップＳ−８２に進み、確認された車両番号を基に、当月内利用車両ファイル２４−１内を検索し、ステップＳ−８３に於いて、当該検出された車両登録番号が当月内利用車両ファイル２４−１内に記憶されているか否かが判断される。
【０１０４】
ステップＳ−８３に於いてＮＯであれば、当該入庫しようとする車両は当月内では新規な車両であると判断されるので、ステップＳ−８４に進み、当該車両に対して在車ファイル２４−２を作成し、当月内利用車両ファイル内に登録する。（図１４（Ａ）参照）
【０１０５】
即ち、ステップＳ−８４では、前回精算年月日は、当該車両の今回の入庫年月日と設定し、又精算月内での累積駐車料金も０円と設定して、ステップＳ−８５に進み、在車ファイル２４−２作成して所定のデータベースに記憶させておく。（図１４（Ａ）参照）
当該在車ファイルでは、入庫時刻、車番情報、前回精算年月日、精算月累積駐車料金を登録しておく。
【０１０６】
その後、ステップＳ−８６に進み、当該車両に対して当該車両登録番号と、入庫年月日と入庫時刻が記録された駐車券が発行され、車両入庫処理が完了し、次いで、ステップＳ−８９に於いてゲートが開放され当該車両の入庫処理が完了してＥＮＤとなる。
【０１０７】
一方、ステップＳ−８３に於いて、ＹＥＳであれば、当該車両は、当該月内で既に過去に当該駐車場を利用している車両である事が判明するので、ステップＳ−８７に進み、月内利用車両ファイルを検索して（図１４（Ａ）参照）、当該車両に関する前回の精算年月日及び前回までの当該精算月内での累積駐車料金をそれぞれ取得し、ステップＳ−８８に於いて、ステップＳ−８５と同様の在車ファイル登録操作が行われ、その後、上記したステップＳ−８６を経てＥＮＤとなる。
【０１０８】
次に、図１３を参照しながら、本具体例に於ける当該車両の出庫処理の操作手順を説明する。
先ず、同一月内での同一車両による入出庫に対する出庫処理の操作手順の一例を説明する。
【０１０９】
即ち、スタート後、ステップＳ９０に於いて、精算月累積駐車料金（Ａ）（当該車両が入庫した同一月内で、今回の入庫駐車以前に既に支払いを済ませた駐車料金の合計額）を在車ファイルから読み出す（図１４（Ｂ）参照）と共に、前月迄の駐車料金（つまり、今回同一車両が入庫した月より以前の月に於ける未払いの駐車料金で、このデータは、後述する月跨ぎ処理の場合に使用する）を０円と設定し、且つ当該車両の入庫時間を今回入庫した年月日の入庫時刻に、又出庫時刻を当該車両が当該出庫手続きに入った時刻を設定する。
【０１１０】
次いで、ステップＳ９１に進み、当該車両の入庫年月と出庫年月とが同一であるか否が判断される。
当該ステップＳ−９１の判断は、当該車両の入出庫が同一月内で実行されたものかどうかを判断するものである。
【０１１１】
本具体例では、同一月内での入出庫であるので、当該車両の入庫年月と出庫年月とが同一であるから、当該ステップＳ−９１ではＹＥＳとなり、ステップＳ−９２に進んで、入庫月内（当月分）での、今回の駐車に対する駐車料金（Ｂ）を演算する。
【０１１２】
当該ステップＳ−９２では、当該当月分の駐車料金（Ｂ）は、当該車両の今回の駐車の為に入庫した入庫時間から今回出庫する手続きに入った時刻までの間の駐車時間を求め、それに対応した駐車料金を計算することになる。
【０１１３】
又、当該車両が同一月内に於いて既に支払っている駐車料金の合計額、つまり当月分累積駐車料金額（Ａ）を当該記憶手段２４から読み出しておく。
その後、ステップＳ−９３に進み、当月分の累積駐車料金額（Ａ）（同一車両が同一月内で、これまでに支払った当該駐車料金の総額）を今回の駐車料金（Ｂ）と合わせて演算する。
【０１１４】
即ち、当該当月分累積駐車料金額（Ｃ）は、（精算月累積駐車料金Ａ）と（今回算出した当該車両の駐車料金Ｂ）を加算して求めるものである。
これは、本具体例に於ける当該フローチャートが繰り返し使用される場合の当該当月分累積駐車料金額（Ｃ）の更新の為の演算式である。
【０１１５】
当該精算月累積駐車料金（Ａ）は、月内利用車両ファイルから読み出して使用するものであるが、当該精算月の最初の駐車に対しては、当該精算月累積駐車料金（Ａ）は０円である。
【０１１６】
従って、今回の駐車で、当該駐車が当該月で最初の駐車であれば、当該当月分累積駐車料金額（Ｃ）は、今回の駐車料金（Ｂ）と同一となり、これが、当該在車ファイル２４−２と当該月内利用車両ファイル２４−１に、その後記憶されて（図１４（Ｂ）参照）、次回の出庫処理に利用される事になる。
【０１１７】
次いで、ステップＳ−９４に進み、当該当月分累積駐車料金額（Ｃ）が、予め定められている月極め上限値、つまり打切り金額（Ｄ）より、大きいか否かが判断される。
係るステップＳ−９４では、当該打切り金額（Ｄ）のデータは、上記したメモリ手段２４に設けられた適宜のファイルに格納されている当該打切り金額を読み出す事によって実行される。（図１４（Ｂ）参照）
当該ステップＳ−９４でＹＥＳであれば、ステップＳ−９５に進み、当該精算月（当月）に於ける今回の駐車料金Ｈ１として、打切り金額（Ｄ）−精算月累積駐車料金（Ａ）が演算されて求められる。
【０１１８】
一方、ステップＳ−９４でＮＯであれば、ステップＳ−９６に進み、当該精算月（当月）に於ける今回の駐車料金Ｈ２として、上記した今回の駐車料金（Ｂ）が求められる。
当該ステップＳ−９４で求められた、当該今回の駐車料金Ｈ１若しくは今回の駐車料金Ｈ２は、適宜の記憶手段に記憶させておく。
【０１１９】
その後、ステップＳ−９７に進み、当該精算当月分累積駐車料金額（Ａ‘）（当月分）を、前記した今回の駐車以前に於いて同一月内で同一車両が既に支払っている精算月累積駐車料金（Ａ）（前記したファイルから読み出す）と当該今回の駐車料金（Ｈ１又はＨ２）とを加算して演算の上求め、その結果を当該在車ファイルおよび当該月内利用車両ファイルに記憶する事になる。
【０１２０】
上記した通り、本具体例では、当該精算月（当月）の最初の入庫に有っては、当該既に支払っている精算月累積駐車料金（Ａ）は、０円である事は言うまでもない。
従って、その場合には、当該ステップＳ−９７では、当該今回の駐車料金は、Ｈ１又はＨ２となる。
【０１２１】
尚、当該ステップＳ−９７では、後述する様に、当該車両が月跨ぎ駐車を行ってきた事に対する駐車料金を含めた総合駐車料金（Ｅ）を当該車両に対して請求する為に、別途、同一車両に対する今回の出庫に関する、今回請求の駐車料金として、最終的には、前月迄の未払いの駐車料金（Ｆ）と今回の駐車料金Ｈ１又はＨ２とを加算して求める様になっている。
【０１２２】
その後、ステップＳ−９８に進んで、上記した情報を当該月内利用車両ファイルに格納すると共に、当該車両の車番情報をキーとして、当該在車ファイルに、前回精算年月（出庫年月）及び精算月累積駐車料金を格納する。
【０１２３】
付いで、ステップＳ−９９に進み、当該車両の出庫に対する今回の駐車料金を所定の表示手段に表示し、ステップＳ−１００に於いて、当該駐車料金を当該車両の所有者に請求する処理が実行され、ステップＳ−１０１に於いて、当該請求した駐車料金が入金されたか否かが判断され、ＮＯであれば、当該ステップＳ−１００に戻って上記工程が繰り返され、ＹＥＳであれば、ステップＳ−１０２に進んで、駐車券を回収して、ゲートを開放して、ステップＳ−１０３に於いて前月分の各データを当該月内利用車両ファイルから削除する。
【０１２４】
又、同時に当該在車ファイルから全てのデータを削除してＥＮＤとなる。
次に、所定の車両の駐車が月跨ぎである場合の操作手順の一例を以下に説明する。
以下の具体例では、例えば、当該車両が９月２０日の午後３時００分に入庫して、同年の１１月１０日の午前１０時００分に出庫した場合（つまり３ヶ月間の月跨ぎの例、具体的には、１ヶ月（１０月）の中間駐車つきが存在する場合を含めた例）を想定して説明する。
【０１２５】
即ち、スタート後、ステップＳ９０に於いて、精算月累積駐車料金を在車ファイルから読み出すと共に、前月迄の駐車料金（つまり、今回同一車両が入庫した月より以前の月迄（つまり８月以前）に於ける未払いの駐車料金）を０円と設定し、且つ当該車両の入庫時間を今回入庫した年月日の入庫時刻（例えば、平成２０年９月２０日午後３時００分）に、又出庫時刻を当該車両が当該出庫手続きに入った時刻を設定する。
【０１２６】
次いで、ステップＳ９１に進み、当該車両の入庫年月と出庫年月とが同一であるか否が判断される。
本具体例では、月跨ぎの入出庫であるので、当該車両の入庫年月と出庫年月とが異なっているから、当該ステップＳ−９１ではＮＯとなり、ステップＳ−２００に進んで、最先の入庫月内（つまり９月分）に於ける今回の駐車に対する駐車料金（Ｉ）を演算する。
【０１２７】
具体的には、当該車両の駐車料金（Ｉ）は、ステップＳ−９０で入力した当該車両の入庫月日時刻及び当該車両の出庫月日時刻のデータから、当該予め定められた単位時間による基本駐車料金から前月分の駐車料金を算出する。
【０１２８】
その後、ステップＳ−２０１に進み、最先の入庫月（９月）を選択し、当該最先月の属する入庫月（９月）の一ヶ月に於ける支払いが要求される総合駐車料金（Ｊ）、本願で言う（前月分の駐車料金）を算出する事になる。
【０１２９】
これは、後述する様に、月極め上限駐車料金（Ｄ）との比較を行う為のデーターを得るのに必要な演算であって、当該月（９月）中に既に支払っている駐車料金、即ち、当該精算月累積駐車料金（Ｋ）と今回の入庫による最新の駐車料金（Ｉ）との合計として演算される。
【０１３０】
換言するならば、当該精算月（９月）の累積駐車料金（Ａ）と当該車両が入庫した９月２０日午後３時００分から同年９月３０日午後２３時５９分迄（或は翌月の１日の午前００時００分と設定しても良い。）の当該車両の駐車料金（Ｉ）とを算出して合算するものである。
【０１３１】
つまり、当該同一車両が、前月中（９月）に支払うことになる前月分（９月分）累積駐車料金駐車料金（Ｊ）の合計額を、当該同一車両が今回入庫するまでに既に支払っている（精算月累積駐車料金Ａ）と、（今回算出された当該同一車両に対する駐車料金Ｉ）と、を加算して求める事になる。
【０１３２】
本発明に於いては、当該精算月累積駐車料金（Ａ）である、同一車両が同一月内で（つまり９月中）今回入庫するまでに既に支払っている累積駐車料金は、当該在車ファイル或は当該月内利用車両ファイルから読み出す事が出来る。（図１４（Ｂ）参照）
勿論、当該車両が当該前月中、つまり９月に於いて、初めての入庫である場合には、当該前月分累積駐車料金は０円であることは言うまでもない。
【０１３３】
当該ステップＳ−２０１で算出された当該前月分（９月分）累積駐車料金額（Ｊ）は、当該在車ファイルと当該月内利用車両ファイルに、その後記憶されて、当該前月分（９月分）累積駐車料金（Ａ）と当該打切り金額（Ｄ）との関係を判断するのに利用される事になる。
【０１３４】
此処までの処理操作によって、当該車両の９月中（出庫処理月から見て先々月中）に支払いを必要とする合計駐車料金（Ｊ）が決定されることになる。
その後、ステップＳ−２０２に進み、当該車両の当該前月（９月中）中に支払う必要がある前月分累積駐車料金額（Ｊ）が、予め定められている月極め上限値、つまり打切り金額（Ｄ）より、大きいか否かが判断される。
【０１３５】
当該ステップＳ−２０２でＹＥＳであれば、即ち、前月分累積駐車料金額が、当該打切り金額より大きい場合には、ステップＳ−２０３に進み、当該前月分（９月分）に於ける、新たに支払いの必要な駐車料金Ｇ１として、（当該前月迄の駐車料金Ｇ）＋（打切り金額Ｄ）−（精算月累積駐車料金Ｋ）が演算されて求められる。
【０１３６】
此処で、当該前月分に於ける、支払いの必要な駐車料金Ｇ１は、この段階では、９月中の最後の駐車に対して新たに課金される駐車料金であり、前月迄の駐車料金（Ｇ）とは、この段階では８月に於ける駐車料金を意味しており、この段階では、当該前月迄の駐車料金は０円である。
【０１３７】
当該ステップＳ−２０３での当該演算処理は、上記した様に、当該フローチャートが繰り返し使用される場合に、当該前月迄の駐車料金Ｇ１は、前月迄の駐車料金（Ｇ）と当月の最後の駐車に対して求められた駐車料金（Ｉ）とで更新される事を意味している。
【０１３８】
つまり、当該前月迄の駐車料金（Ｇ）は、後述する様に、１０月中に支払うべき駐車料金を演算する場合に、９月分に支払うべき駐車料金を加算するのに使用される。
一方、ステップＳ−２０３に於ける当該精算月累積駐車料金（Ａ）は、９月中に既に支払った駐車料金の合計額であり、仮に当該車両が９月中に当該打切り金額（Ｄ）に到達する精算月累積駐車料金を既に支払っている場合には、当該前月迄の駐車料金を除き、当該９月分の支払いが必要な駐車料金は０円（無料）である。
【０１３９】
一方、ステップＳ−２０２でＮＯであれば、即ち、前月分累積駐車料金額（Ｊ）が、当該打切り金額（Ｄ）より小さい場合には、ステップＳ−２０４に進み、当該前月分（９月分）に於ける、支払いの必要な駐車料金Ｇ２として、つまり９月分の駐車料金Ｇ２として、（当該前月迄の駐車料金Ｇ）＋（今回算出された駐車料金Ｉ）が演算されて求められる。
【０１４０】
尚、上記した様に、頭初のループでは、当該前月迄の駐車料金Ｇは０である。
当該ステップＳ−２０３とステップＳ−２０４で求められた、当該今回の駐車料金Ｇ１若しくは今回の駐車料金Ｇ２は、ステップＳ−２０５に於いて、適宜の記憶手段に記憶させておく。
【０１４１】
その後、ステップＳ−２０６に進み、駐車処理月名を一つインクリメントさせて、次の月における駐車料金を演算する。
即ち、１０月分の駐車料金を求める操作が行われる。
【０１４２】
当該ステップＳ−２０６では、当該車両の入庫日時及び時刻を次の月の１日の午前００時００分（つまり本具体例では、１０月１日午前００時００分）に設定し、出庫日時及び時刻を同年同月の末日の午後２３時５９分（つまり本具体例では、１０月３１日午後２３時５９分）に設定し、ステップＳ−９１に戻る事になる。
【０１４３】
但し、実際の出庫月日は、上記したとおり、当該車両が実際に出庫処理手続きに入った月日時刻であることは、前記したとおりである。
当該ステップＳ−９１では、前回の処理（９月分の処理）と同様に、当該車両の入庫年月（１０月）と出庫年月（１１月）とが異なっているから、当該ステップＳ−９１ではＮＯとなり、ステップＳ−２００に進んで、入庫翌月内（つまり１０月分）に於ける今回の駐車に対する駐車料金を演算する。
【０１４４】
此処では、当該車両は当該精算月（１０月）即ち、中間駐車月では、その月の間継続して駐車していたものであるから、当該駐車時間に対応する駐車料金を上記したと同様の方法で、本願で言う（前月分の駐車料金）、つまり１０月分の駐車料金を演算して求めることになる。
【０１４５】
従って、此処では、当該最初で最後の駐車料金（Ｉ）は、当該月極め上限値（Ｄ）に設定される事になる。
その後、ステップＳ−２０１に進み、当該前月分累積駐車料金（Ｊ）を演算する事になるが、此処では、一月中駐車が行われているので、当該同一車両による同一月内での精算月累積駐車料金（Ｋ）は、発生しておらず、従って当該精算月累積駐車料金（Ｋ）は０円となる。
【０１４６】
従って、本具体例での当該前月分累積駐車料金（１０月分）（Ｊ）は、今回演算された当該車両に対する駐車料金（Ｉ）と同一となる。
つまり、当該月極め上限値（Ｄ）である。
【０１４７】
その後、ステップＳ−２０２に進み、当該車両の当該前月分（１０月中）に於ける前月分累積駐車料金額（Ｊ）が、予め定められている月極め上限値、つまり打切り金額（Ｄ）より、大きいか否かが判断されるが、前月分累積駐車料金額（Ｊ）が、打切り金額（Ｄ）であるから、当該ステップＳ−２０２でＹＥＳとなり、ステップＳ−２０３に進み、当該前月分に於ける（１０月分）支払いの必要な駐車料金Ｙ１として、（当該前月迄の駐車料金Ｇ１又はＧ２）＋（打切り金額Ｄ）−（精算月累積駐車料金Ａ）が演算されて求められる。
【０１４８】
此処で、当該前月分（１０月、中間駐車月）に於ける支払いの必要な駐車料金Ｙ１は、この段階では、１０月中の駐車に対して新たに課金される駐車料金であり、前月迄の駐車料金とは、この段階では９月に於ける支払いの必要がある駐車料金を意味しており、この段階では、前回の処理ループの際に当該前月迄の駐車料金としてＧ１又はＧ２が設定されているので、この値Ｇ１又はＧ２の何れかが採用されて此処で使用される。
【０１４９】
一方、ステップＳ−２０３に於ける当該精算月累積駐車料金（Ｋ）としては、当該車両が当該精算月（１０月）中、継続して駐車しているので、０円となっている。
従って、当該車両が１０月中に支払うべき当該前月迄の駐車料金Ｙ１は、当該前月迄の駐車料金（Ｇ１又はＧ２）と当該打切り金額（Ｄ）とを加算した額となる。
一方、上記理由から、ステップＳ−２０２でＮＯと判断されるケースは無い。
【０１５０】
当該ステップＳ−２０３で求められた、当該今回の駐車料金Ｙ１は、ステップＳ−２０５に於いて、適宜の記憶手段に記憶させておく。
更に、この段階で、最先の処理月（つまり９月）のデータは、当該在車ファイル及び当該月内利用車両ファイルから削除される事になる。
【０１５１】
その後、ステップＳ−２０６に進み、駐車処理月名を再び一つインクリメントさせて、次の月における駐車料金を演算する。
本具体例では、中間駐車月の数だけ、ステップＳ−９１からステップＳ−２０６までの処理ループが繰り返される。
【０１５２】
従って、中間駐車月が無い場合には、当然のことながら、上記ステップＳ−９１からステップＳ−２０６までの処理ループの繰り返しは存在しない。
この際、選択した駐車処理月が最後の処理月であるか否かを判断するステップを挿入しても良い。
【０１５３】
次に、最終駐車月である１１月分の駐車料金（Ｚ）を求める操作が行われる。
当該ステップＳ−２０６では、当該車両の入庫日時及び時刻を次の月の１日の午前００時００分（つまり本具体例では、１１月１日午前００時００分）に設定し、出庫日時及び時刻は、当該車両が同月内で当該出庫処理に入った時刻（つまり本具体例では、１１月１０日午前１０時００分）に設定し、ステップＳ−９１に戻る事になる。
【０１５４】
当該ステップＳ−９１では、当該車両の入庫年月（１１月）と出庫年月（１１月）とが同じであるから、当該ステップＳ−９１ではＹＥＳとなり、前記したステップＳ−９２に進んで、出庫月内（つまり１１月分）に於ける今回の駐車に対する駐車料金を演算する。
【０１５５】
ステップＳ−９２では、当該駐車料金（Ｂ１）は、当該車両の当月分（１１月）に於ける今回の駐車の為に入庫した入庫時間から今回出庫する手続に入った時刻までの間の駐車時間を求め、それに対応した駐車料金を計算することになる。
その後、ステップＳ−９３に進み、当月分（１１月）の累積駐車料金額（Ｃ１）（同一車両が同一月内で、これまでに支払った当該駐車料金の総額）を演算する。
【０１５６】
当該当月分累積駐車料金額（Ｃ１）は、上記した（精算月累積駐車料金Ａ１）と（今回算出した当該車両の駐車料金Ｂ１）を加算して求めるものである。
本具体例では、当該精算月累積駐車料金（Ａ１）は、月内利用車両ファイルから読み出して使用するものであるが、当該精算月（１１月）の最初の時間（午前００時００分）からの駐車であるから、当該精算月累積駐車料金（Ａ１）は０円である。
【０１５７】
従って、今回の駐車で、当該当月分累積駐車料金額（１１月）（Ｃ１）は、今回の駐車料金（Ｂ１）と同一となり、これが、当該在車ファイルと当該月内利用車両ファイルに、その後記憶されて（図１４（Ｂ）参照）、次回の出庫処理に利用される事になる。
【０１５８】
次いで、ステップＳ−９４に進み、当該当月分累積駐車料金額（Ｃ１）が、予め定められている月極め上限値、つまり打切り金額（Ｄ）より、大きいか否かが判断される。
当該ステップＳ−９４でＹＥＳであれば、ステップＳ−９５に進み、当該精算月（１１月）に於ける今回の駐車料金Ｚ１として、（打切り金額（Ｄ））−（精算月累積駐車料金（Ａ１））が演算されて求められる。
【０１５９】
本具体例では、当該精算月累積駐車料金（Ａ１）は０円であるから当該打切り金額（Ｄ）のみが演算の対象となる。
一方、ステップＳ−９４でＮＯであれば、ステップＳ−９６に進み、当該精算月（１１月）に於ける今回の駐車料金Ｚ２として、上記した今回の駐車料金（Ｂ１）が求められる。
【０１６０】
当該ステップＳ−９４で求められた、当該今回の駐車料金Ｚ１若しくは今回の駐車料金Ｚ２は、適宜の記憶手段に記憶させておく。
その後、ステップＳ−９７に進み、当該精算当月分（１１月分）累積駐車料金額（Ａ１’）を、前記した今回の駐車以前に於いて同一月内で同一車両が既に支払っている精算月累積駐車料金（Ａ１）（前記したファイルから読み出す）と当該今回の駐車料金（Ｚ１、Ｚ２）とを加算して求め、その結果を、当該在車ファイルおよび当該月内利用車両ファイルに記憶する事になる。
【０１６１】
上記した通り本具体例では、当該精算月（今月）の最初の入庫に有っては、当該既に支払っている精算月累積駐車料金（Ａ１）は、０円である事は言うまでもない。
更に、当該ステップＳ−９７では、別途、同一車両に対する今回の出庫に関する、今回請求の駐車料金（Ｅ）として、最終的には、ステップＳ−２０５で所定の記憶手段に記憶されている前月迄（９月及び１０月分）の未払いの駐車料金（Ｇ１、はＧ２、Ｙ１）を読み出し、これを合算して当該前月迄の駐車料金（Ｆ）とし、これに今回の駐車料金（Ｚ１又はＺ２）とを加算して求める様になっている。
【０１６２】
その後、ステップＳ−９８に進んで、上記した情報を当該月内利用車両ファイルに格納すると共に、当該車両の車番情報をキーとして、当該在車ファイルに、前回精算年月（出庫年月）及び精算月累積駐車料金を格納する。
【０１６３】
つまり、当該車両が月跨ぎ駐車を行ってきた事に対する総合駐車料金（Ｅ）を当該車両に対して請求する為に、同一車両に対する今回の出庫に関する、今回請求の駐車料金として、最終的には、前月迄の駐車料金（つまり９月中に発生した駐車料金（Ｈ１又はＨ２）と１０月中に発生した駐車料金と（Ｙ１）との合計金額（Ｆ）と今回の駐車料金（Ｚ１又はＺ２）とを加算して求める様になっている。
【０１６４】
次いで、ステップＳ−９９に進み、当該車両の出庫に対する今回の駐車料金を所定の表示手段に表示し、ステップＳ−１００に於いて、当該駐車料金を当該車両の所有者に請求する処理が実行され、ステップＳ−１０１に於いて、当該請求した駐車料金が入金されたか否かが判断され、ＮＯであれば、当該ステップＳ−１００に戻って上記工程が繰り返され、ＹＥＳであれば、ステップＳ−１０２に進んで、駐車券を回収して、ゲートを開放し、ステップＳ−１０３に於いて前月分の各データを当該月内利用車両ファイルから削除する。
【０１６５】
又、同時に当該在車ファイルから全てのデータを削除してＥＮＤとなる。
尚、上記具体例に於いて、何れのステップにあっても、当該精算月累積駐車料金が、既に当該打ち切り金額（Ｄ）に到達している場合には、当該月の最終日の最終時刻までの全ての入出庫に対しては、課金は行わない様に構成されている。
【産業上の利用可能性】
【０１６６】
本発明は、無人化された駐車場の管理運営装置及びそのシステムとして有効に使用する事が可能である。
【符号の説明】
【０１６７】
１、２１  制御装置
２、２２  番号読取装置
３、２３  時計装置
４、２４  データ保持装置、駐車情報記憶手段
５、２５  料金精算装置
６、２６  ゲート開閉装置
１４、３４  駐車場の料金管理装置
１３、３３  出庫ゲート管理装置
８、２８  駐車券発行／受領装置
７、２７  カメラ
９、２９  駐車料金記憶装置
１０、３０  駐車料金演算装置
１１、３１  精算料金表示装置
１２、３２  精算料金入金有無識別装置
１５  日極め上限駐車料金設定装置
１６  駐車料金積算装置
３５  月極め上限駐車料金記憶装置
３６  同一月内での駐車料金積算装置
４１  料金システム記憶手段
４２  精算月累積駐車料金演算手段
４３  当月分累積駐車料金演算手段
４４  第１判断手段
４５  第１演算手段
４６  第２演算手段
４７  駐車料金請求手段
４８  出庫ゲート開閉制御手段
４９  最先入庫月駐車料金演算手段
５０  最先入庫月累積駐車料金演算手段
５１  第２判断手段
５２  第３の演算手段
５３  第４の演算手段
５４  第５の演算手段
５５  第３判断手段
５６  第６の演算手段
５７  第７の演算手段
５８  第８の演算手段
５９  駐車関情報消去手段
【図１】
2010027027.tif 000003
【図２】
2010027027.tif 000004
【図３】
2010027027.tif 000005
【図４】
2010027027.tif 000006
【図５】
2010027027.tif 000007
【図６】
2010027027.tif 000008
【図７】
2010027027.tif 000009
【図８】
2010027027.tif 000010
【図９】
2010027027.tif 000011
【図１０】
2010027027.tif 000012
【図１１】
2010027027.tif 000013
【図１２】
2010027027.tif 000014
【図１３】
2010027027.tif 000015
【図１４】
2010027027.tif 000016